(57)【特許請求の範囲】
【請求項１】
光ディスクに対して、その接線方向に配列され、それぞれ開口数の異なる２つの対物レンズと、
前記光ディスクの半径方向に配置され、かつ、前記２つの対物レンズの光軸を結ぶ線に対して略対称に配置された２つの保護部材と、
前記２つの対物レンズ及び前記２つの保護部材を保持する可動ベースを含む光ピックアップを備えた光ディスク装置であって、
前記光ディスクの表面と前記対物レンズの光軸が直交している状態において、前記可動ベースの保護部材装着領域は、光ディスクの回転方向に対して下流側が高く、上流側が低くなるように、傾斜面として形成されており、
前記可動ベースの保護部材装着領域の前記光ディスクの回転方向の下流側端部、前記光ディスクの半径方向における外周側端部及び内周側端部の少なくとも一部分にのみ、前記保護部材を装着する際のガイドとなる係止突部が形成されており、
前記保護部材は、その底面の各部寸法の最も小さいものよりも、その厚みが小さいシート状であり、かつ前記厚みは、前記係止突部の前記可動ベースの保護部材装着領域の表面からの突出量よりも大きく、前記可動ベースの材料よりも硬度の小さい材料で形成されていることを特徴とする光ピックアップの対物レンズ保護構造を備えた光ディスク装置。
【請求項２】
前記光ディスクの表面と前記対物レンズの光軸が直交している状態において、前記可動ベースの保護部材装着領域の光ディスクの回転方向に対する傾斜角は、３度以上１０度以下であることを特徴とする請求項１に記載の光ディスク装置。
【請求項３】
前記保護部材は、平面視矩形であることを特徴とする請求項１又は２に記載の光ディスク装置。
【請求項４】
前記係止突部は、前記保護部材の平面視４つの角のうち、前記光ディスクの回転方向の下流側に位置する対物レンズと対向する角をガイドするように、略Ｌ状に形成された部分を含むことを特徴とする請求項３に記載の光ディスク。
【発明の詳細な説明】
【技術分野】
【０００１】
本発明は、ブレーレイディスクなどの高密度記録用の光ディスクに対してデータの記録及び又は再生を行う光ディスク装置、特にその光ピックアップの対物レンズ保護構造に関する。
【背景技術】
【０００２】
近年、高密度記録用の光ディスクとして、ブルーレイディスク(Blu-ray Disc)が実用化されている。このようなブルーレイディスク（以下、ＢＤとする）に対応した光ディスク装置では、従来のＣＤ(Compact Disc)やＤＶＤ(Digital Versatile Disc)に対しても互換性を有するようにするため、ＢＤ対応の光学系とＣＤ及びＤＶＤ対応の光学系の２つの対物レンズが、光ピックアップに搭載されている（特許文献１参照）。
【０００３】
一方、対物レンズはその光軸方向に移動可能であり、外部から振動が加えられた場合、フォーカシング引き込み開始などにおいて、光ディスク側に大きく移動し、対物レンズの表面やレンズ鏡筒などが光ディスクと接触する可能性がある。あるいは、光ディスクが傾いた状態で装填され、そのままの状態で回転される可能性もある。そのため、対物レンズに近傍に、対物レンズの表面やレンズ鏡筒よりも光ディスク側に突出した保護部材を設け、対物レンズの表面やレンズ鏡筒が直接光ディスクに接触しないようにすることが提案されている（特許文献２参照）。
【０００４】
特許文献２に示された従来の対物レンズ保護構造を図５に示す。保護部材５０は、例えばシリコンゴムやその他のゴム材料、フェルト材などの集合材料、あるいはゴム材料と合成樹脂との積層材などで形成されており、直方体状である。光ピックアップの可動ベース５１の光ディスク６０の表面６１と対向する面５２には、光ディスク６０の半径方向に、光ディスク６０側に突出した係止突部５３及び５４などが形成されており、係止突部５３と５４の間の保護部材装着領域５５の底面は、光ディスク６０の回転方向の下流側が高く、上流側が低くなるように、傾斜面として形成されている。
【０００５】
保護部材５０を係止突部５３と５４の間の保護部材装着領域５５に接着すると、保護部材５０の上面の端部のうち光ディスク６０の回転方向の下流側の端部５６と光ディスク６０の表面６１との距離は、光ディスク６０の回転方向の上流側の端部５７と光ディスク６０の表面６１との距離よりも短くなる。このように保護部材５０を傾斜させた状態で取り付ければ、仮に保護部材５０が光ディスク６０の表面６１に接触したとしても、保護部材５０の端部５６及び５７のうち、上流側の端部５７のエッジよりも傾斜角が小さい下流側の端部５６側で光ディスク６０の表面６１と接触するので、光ディスク６０の損傷を防止又は低減することができる。
【０００６】
上記従来の対物レンズ保護構造において、保護部材５０を立方体状にする理由の１つとして、光ピックアップの組み立て工程において、保護部材５０の方向性を考慮しなくてもよくすることが考えられる。そうすると、ゴム材料やフェルト材などの単一の材料で形成されている場合はよいが、積層材で形成されている場合は、積層された各材料の方向性が重要であり、組み立て作業性が低下する可能性がある。また、保護部材５０として、ゴム材料やフェルト材などを用いて微小な直方体を精度よく形成することは困難であり、コストアップの原因ともなる。さらに、保護部材５０が装着される保護部材装着領域５５は係止突部５３と５４に挟まれているので、保護部材装着領域５５の底面の傾斜を精度よく形成することは困難であり、かつ樹脂成形するときの金型の構造が複雑になり、コストアップの要因となる。さらに、係止突部５３と５４で挟まれた保護部材装着領域５５に、保護部材を精度よく装着することも困難である。
【特許文献１】特開２００１−６７７００号公報
【特許文献２】特開２００４−３０３３８３号公報
【発明の開示】
【発明が解決しようとする課題】
【０００７】
本発明は、上記従来例の問題を解決するためになされたものであり、低コストで、かつ組み立て作業が容易な光ピックアップの対物レンズ保護構造を備えた光ディスク装置を提供することを目的とする。
【課題を解決するための手段】
【０００８】
上記目的を達成するために請求項１の発明は、
光ディスクに対して、その接線方向に配列され、それぞれ開口数の異なる２つの対物レンズと、
前記光ディスクの半径方向に配置され、かつ、前記２つの対物レンズの光軸を結ぶ線に対して略対称に配置された２つの保護部材と、
前記２つの対物レンズ及び前記２つの保護部材を保持する可動ベースを含む光ピックアップを備えた光ディスク装置であって、
前記光ディスクの表面と前記対物レンズの光軸が直交している状態において、前記可動ベースの保護部材装着領域は、光ディスクの回転方向に対して下流側が高く、上流側が低くなるように、傾斜面として形成されており、
前記可動ベースの保護部材装着領域の前記光ディスクの回転方向の下流側端部、前記光ディスクの半径方向における外周側端部及び内周側端部の少なくとも一部分にのみ、前記保護部材を装着する際のガイドとなる係止突部が形成されており、
前記保護部材は、その底面の各部寸法の最も小さいものよりも、その厚みが小さいシート状であり、かつ前記厚みは、前記係止突部の前記可動ベースの保護部材装着領域の表面からの突出量よりも大きく、前記可動ベースの材料よりも硬度の小さい材料で形成されていることを特徴とする光ピックアップの対物レンズ保護構造を備えている。
【０００９】
請求項２の発明は、請求項１に記載の光ディスク装置において、前記光ディスクの表面と前記対物レンズの光軸が直交している状態において、前記可動ベースの保護部材装着領域の光ディスクの回転方向に対する傾斜角は、３度以上１０度以下であることを特徴とする。
【００１０】
請求項３の発明は、請求項１又は２に記載の光ディスク装置において、前記保護部材は、平面視矩形であることを特徴とする。
【００１１】
請求項４の発明は、請求項３に記載の光ディスクにおいて、前記係止突部は、前記保護部材の平面視４つの角のうち、前記光ディスクの回転方向の下流側に位置する対物レンズと対向する角をガイドするように、略Ｌ状に形成された部分を含むことを特徴とする。
【発明の効果】
【００１２】
請求項１の発明によれば、保護部材として、その底面の各部寸法の最も小さいものよりも、その厚みが小さいシート状であり、かつ厚みは、係止突部の可動ベース保護部材装着領域の表面からの突出量よりも大きく、可動ベースの材料よりも硬度の小さい材料で形成されているので、例えば、軟質材料製のテープなどを用いることができ、従来例の保護部材に比べて、その製造コストを低減することができる。また、保護部材の一面に接着剤などを塗布しておけば、保護部材を可動ベースの保護部材装着領域に接着材を塗布する工程を省略することができる。さらに、係止突部は、可動ベースの保護部材装着領域の光ディスクの回転方向の下流側端部、光ディスクの半径方向における外周側端部及び内周側端部の少なくとも一部分にのみ設けられ、光ディスクの回転方向の上流側端部には設けられていないので、可動ベースの保護部材装着領域は、光ディスクの回転方向において、保護突部によっては挟まれていない。そのため、保護部材を保護部材装着領域に装着する際、保護部材の先端を光ディスクの回転方向の下流側端部の係止突部に当てることによって、光ディスクの回転方向における保護部材の位置決めを行うことができ、保護部材の装着作業が容易になる。さらに、係止突部は光ディスクの回転方向の上流側端部には設けられていないので、光ディスクが傾いて回転したとしても、光ディスクの表面には保護部材のエッジ部のみが接触するので、光ディスクの損傷を防止し又は低減することができる。さらに、係止突部が光ディスクの回転方向の上流側端部には設けられていないので、可動ベースを樹脂成形により形成する際、金型の構成を簡略化することができ、保護部材装着領域の傾斜角度の公差管理が容易になる。
【００１３】
請求項２の発明によれば、可動ベースの保護部材装着領域の光ディスクの回転方向に対する傾斜角を３度以上１０度以下とすることにより、保護部材の光ディスクの回転方向の下流側端部及び上流側端部のエッジの一方が他方に比べて急になることはなく、下流側端部及び上流側端部のエッジによる緩衝効果のバランスを保つことができる。
【００１４】
請求項３の発明によれば、保護部材は平面視矩形であるので、保護部材の４つの辺のいずれかを係止突部に当接させながら、保護部材装着領域に対する位置決めを行うことができ、保護部材の装着作業が容易になると共に、位置決め精度を高くすることができる。
【００１５】
請求項４の発明によれば、係止突部は、保護部材の平面視４つの角のうち、光ディスクの回転方向の下流側に位置する対物レンズと対向する角をガイドするように、略Ｌ状に形成された部分を含むように形成されているので、対物レンズを固定する際に接着剤がはみ出したとしても、接着剤が保護部材に付着する可能性が低減される。その結果、保護部材に付着し固化した接着剤によって、光ディスクが損傷される可能性を低減することができる。
【発明を実施するための最良の形態】
【００１６】
本発明の一実施形態に係る光ディスク装置について説明する。この光ディスクは、ブルーレイディスクなどの高密度記録用の光ディスクと、ＣＤやＤＶＤなどの従来からの光ディスクに対しても互換性を有し、光ピックアップはＢＤ対応の光学系とＣＤ及びＤＶＤ対応の光学系を有している。
【００１７】
図１は、本実施形態に係る光ディスク装置の光ピックアップにおける光学系を示す。この光ピックアップ１は、本体１００と、本体１００に取り付けられた対物レンズアクチュエータ２００とを備えている。また、光ピックアップ１は、例えば、ＣＤ又はＤＶＤなどの従来から広く用いられている光ディスクの記録／再生を行うための第１光学系１０と、ＢＤなどの高密度記録用の光ディスクの記録／再生を行うための第２光学系２０とを備えている。対物レンズアクチュエータ２００は、第１光学系１０及び第２光学系２０のそれぞれに設けられた対物レンズ１７及び２７を保持している。本体１００は、例えば硬質樹脂製のベース部材１０１上に第１光学系１０および第２光学系２０のその他の構成部材を固定して構成されている。なお、上記のＣＤは、ＣＤ−ＲＯＭ、ＣＤ−Ｒ、ＣＤ−ＲＷなどを含み、ＤＶＤは、ＤＶＤ−ＲＯＭ、ＤＶＤ−Ｒ、ＤＶＤ＋Ｒ、ＤＶＤ−ＲＷ、ＤＶＤ＋ＲＷ、ＤＶＤ−ＲＡＭなどを含み、また、ＢＤは、ＢＤ−ＲＯＭ、ＢＤ−Ｒ、ＢＤ−ＲＥなどを含む。
【００１８】
第１光学系１０は、赤外レーザ素子１１ａと、赤色レーザ素子１１ｂと、ダイクロイックプリズム１２と、ビームスプリッタ１３と、コリメータレンズ１４と、ミラー１５と、１／４波長板１６と、第１対物レンズ１７と、集光レンズ１８と、光検出器１９とを備えている。また、第２光学系２０は、青色レーザ素子２１と、ビームスプリッタ２３と、コリメータレンズ２４と、ミラー２５と、１／４波長板２６と、第２対物レンズ２７と、集光レンズ２８と、光検出器２９とを備えている。
【００１９】
赤外レーザ素子１１ａは、波長が約７８０ｎｍの赤外レーザビームを出射するものであり、ＣＤの記録／再生に利用される。赤色レーザ素子１１ｂは、波長が約６５０ｎｍの赤色レーザビームを出射するものであり、ＤＶＤの記録／再生に利用される。ダイクロイックプリズム１２は、赤外領域の波長の光を透過させ、赤色領域の波長の光を反射するプリズムであり、赤外レーザ素子１１ａから出射されたレーザビームはダイクロイックプリズム１２を透過し、赤色レーザ素子１１ｂから出射されたレーザビームは、ダイクロイックプリズム１２の反射面で反射する。赤色レーザ素子１１ａから出射されたレーザビームの光路は、ダイクロイックプリズム１２より後の部分において、赤外レーザ素子１１ａから出射されたレーザビームの光路と略同一になる。
【００２０】
一方、青色レーザ素子２１は、波長が約４０５ｎｍの青色レーザビームを出射するものであり、ＢＤの記録／再生に利用される。第２光学系２０には、青色レーザ素子２１の他にレーザ素子は設けられておらず、ダイクロイックプリズム１２に相当する部材も設けられていない。
【００２１】
ビームスプリッタ１３，２３は、入射されたレーザビームをその偏光方向に応じて透過または反射させる光学素子である。赤外レーザ素子１１ａ、赤色レーザ素子１１ｂ、又は青色レーザ素子２１から出射されたレーザビーム（例えばＰ偏光）は、ビームスプリッタ１３，２３を透過する。一方、光ディスク２の記録面で反射されてビームスプリッタ１３，２３に入射するレーザビーム（例えばＳ偏光）は、ビームスプリッタ１３，２３で反射される。ビームスプリッタ１３，２３は、光ディスク２の記録面で反射されて入射したレーザビームを、光検出器１９，２９に向け反射するように位置決めされてベース部材１０１に固定されている。
【００２２】
コリメータレンズ１４，２４は、点光源である赤外レーザ素子１１ａ、赤色レーザ素子１１ｂ又は青色レーザ素子２１から出射された拡散光であるレーザビームを平行光にする。コリメータレンズ１４，２４から出射されたレーザビームは、それぞれミラー１５，２５により、入射方向に対し直交する方向すなわち光ディスク２の記録面に直交する方向に反射される。反射されたレーザビームは、直線偏光の光を円偏光とし円偏光の光を直線偏光とする１／４波長板１６，２６を透過する。
【００２３】
第１対物レンズ１７及び第２対物レンズ２７は、それぞれ光源であるレーザ素子１１ａ，１１ｂ及び２１の波長に応じて異なる開口数を有しており、例えば非球面レンズで構成されている。第１対物レンズ１７は、赤外レーザビームをＣＤの記録面に集光させるとともに、赤色レーザビームをＤＶＤの記録面に集光させる。すなわち、第１の対物レンズ１７は、赤外レーザビーム及び赤色レーザビームをそれぞれ収束させ、それぞれ、レーザスポットとして、ＣＤ及びＤＶＤの記録面に照射させる。他方、第２対物レンズ２７は、青色レーザビームをＢＤの記録面に集光させる。すなわち、第２対物レンズ２７は、青色レーザビームを収束させ、レーザスポットとしてＢＤの記録面に照射させる。本実施形態において、第２対物レンズ２７は、第１対物レンズ１７とは別体に構成されている。
【００２４】
上記のように、第１対物レンズ１７又は第２対物レンズ２７からそれぞれ光ディスク２の記録面に照射され反射されたレーザビームは、第１対物レンズ１７又は第２対物レンズを透過し、１／４波長板１６，２６に入射する。このとき、反射されたレーザビームは、円偏光から直線偏光に変換されるが、その偏光方向は、赤外レーザ素子１１ａ、赤色レーザ素子１１ｂ又は青色レーザ素子２１から出射されたレーザビームの偏光方向（例えばＰ偏光）に対して直交する。すなわち、１／４波長板１６，２６からミラー１５，２５にそれぞれ向かう光は例えばＳ偏光になり、１／４波長板１６，２６からミラー１５，２５を介してそれぞれビームスプリッタ１３，２３に入射するレーザビームは、そのビームスプリッタ１３，２３において透過せずに反射される。ビームスプリッタ１３，２３により反射されたレーザビームは、それぞれ、集光レンズ１８，２８を介して光検出器１９，２９に入射する。光検出器１９，２９では、レーザビームが入射したことを検知して、光ディスク２の記録／再生時に利用可能電気信号として出力する。
【００２５】
次に、本実施形態における光ディスク装置の光ピックアップの対物レンズ保護構造について説明する。図２に示すように、第１対物レンズ１７又は第２対物レンズ２７は、光ディスク２に対して、その接線方向（Ｔ方向）に配列され、対物レンズアクチュエータ２００の可動ベース（レンズホルダ）２０１に保持されている。保護部材３０は、光ディスク２の半径方向（Ｒ方向）に配置され、かつ、２つの対物レンズ１７及び２７の光軸を結ぶ線に対して略対称に２箇所に配置されおり、対物レンズ１７及び２７と共に可動ベース２０１に保持されている。
【００２６】
光ディスク２の表面２ａと第１対物レンズ１７又は第２対物レンズ２７の光軸が直交している状態において、図３（ａ）に示すように、可動ベース２０１の保護部材装着領域２０２は、それぞれ光ディスク２の回転方向に対して下流側（２０２ａ）が高く、上流側（２０２ｄ）が低くなるように、傾斜面として形成されている。また、可動ベース２０１の保護部材装着領域２０２の周囲には、光ディスク２の回転方向（Ｔ方向）の下流側端部２０２ａと、光ディスク２の半径方向（Ｒ方向）における外周側端部２０２ｂ及び内周側端部２０２ｃの３辺の少なくとも一部分にのみ、保護部材３０を装着する際のガイドとなる係止突部２０３が形成されている。すなわち、保護部材装着領域２０２の周囲のうち、光ディスク２の回転方向（Ｔ方向）の上流側端部２０２ｄには、係止突部は設けられていない。係止突部２０３の配置に関しては後述する。
【００２７】
保護部材３０は、平面視矩形であり、その幅及び長さのいずれか短い方よりも、その厚みが小さいシート状であり、かつ厚みは、係止突部２０３の可動ベース２０１の保護部材装着領域２０２の表面からの突出量よりも大きく、可動ベース２０１の材料よりも硬度の小さい材料、例えばシリコンゴムなどのゴム材料やその他の軟質材料で形成されている。また、保護部材３０は、その一面（裏面）に接着剤などが塗布されたテープ状のものから切断されたものであることが好ましい。
【００２８】
なお、保護部材３０の光ディスク２の回転方向（Ｒ方向）の下流側端部３０ａ及び上流側端部３０ｂのエッジによる緩衝効果のバランスを保ちつつ、上記保護部材装着領域２０２の傾斜角度の公差管理を容易にすることを考慮すると、光ディスク２の表面と対物レンズ１７，２７の光軸が直交している状態において、可動ベース２０１の保護部材装着領域２０２の光ディスクの回転方向、すなわち光ディスク２の表面２ａに対する傾斜角θは、３度以上１０度以下であることが好ましい。
【００２９】
このように、保護部材３０として、例えば、軟質材料製のテープなどを用いることができ、従来例の保護部材５０に比べて、その製造コストを低減することができる。さらに、保護部材３０の一面に接着剤などを塗布しておけば、可動ベース２０１の保護部材装着領域２０２に接着を塗布する工程を省略することができる。また、係止突部２０３は、可動ベース２０１の保護部材装着領域２０２の光ディスク２の回転方向（Ｔ方向）の下流側端部２０２ａ、光ディスク２の半径方向（Ｒ方向）における外周側端部２０２ｂ及び内周側端部２０２ｃの少なくとも一部分にのみ設けられ、光ディスク２の回転方向の上流側端部には設けられていないので、図３（ｂ）に示すように光ディスク２が傾いて回転したとしても、光ディスク２の表面２ａには保護部材３０の上流側端部３０ｂのエッジ部のみが接触する。そのため、係止突部との接触又は衝突による光ディスク２の損傷を防止し又は低減することができる。さらに、係止突部２０３は、保護部材装着領域２０２の光ディスク２の回転方向の上流側２０２ｄには設けられていないので、可動ベース２０１を樹脂成形により形成する際、金型の構成を簡略化することができ、保護部材装着領域２０２の傾斜角度θの公差管理が容易になる。
【００３０】
図４（ａ）〜（ｄ）は、それぞれ係止突部２０３の配置のバリエーションを示す。図４（ａ）は、係止突部２０３が、保護部材装着領域２０２の周囲のうち、光ディスク２の回転方向（Ｔ方向）の下流側端部２０２ａ、光ディスク２の半径方向（Ｒ方向）における外周側端部２０２ｂ及び内周側端部２０２ｃの３辺に沿ってコの字状に形成された例を示す。図４（ｂ）は、係止突部２０３が、下流側端部２０２ａのほぼ全体に沿って形成されると共に、外周側端部２０２ｂ及び内周側端部２０２ｃに沿ってそれぞれ部分的に形成された例を示す。図４（ｃ）は、光ディスク２の半径方向における外周側の保護部材装着領域２０２については、下流側端部２０２ａと内周側端部２０２ｂに沿って係止突部２０３が略Ｌ状に形成され、光ディスク２の半径方向における内周側の保護部材装着領域２０２については、下流側端部２０２ａと外周側端部２０２ｂに沿って係止突部２０３が略Ｌ状に形成された例を示す。図４（ｄ）は、図４（ｂ）と図４（ｃ）に示す例を組み合わせたものであり、外周側の保護部材装着領域２０２については、下流側端部２０２ａと内周側端部２０２ｂに沿って係止突部２０３が略Ｌ状に形成されると共に外周側端部２０２ｂに沿ってそれぞれ部分的に形成され、光ディスク２の半径方向における内周側の保護部材装着領域２０２については、下流側端部２０２ａと外周側端部２０２ｂに沿って係止突部２０３が略Ｌ状に形成されると共に内周側端部２０２ａに沿ってそれぞれ部分的に形成された例を示す。
【００３１】
このように係止突部２０３を形成することにより、係止突部２０３が位置決めガイドとして機能し、平面視矩形のシート状に形成された保護部材３０のいずれかの辺を係止突部２０３に当接させながら、保護部材３０の位置決め及び装着作業を行うことができる。その結果、保護部材３０を容易に、かつ正確に可動ベース２０１の保護部材装着領域２０２に装着することができる。
【００３２】
また、図４（ａ）、（ｃ）及び（ｄ）に示すように、保護部材３０の平面視４つの角のうち、光ディスク２の回転方向（Ｔ方向）の下流側に位置する対物レンズ１７と対向する角をガイドするように、係止突部２０３が略Ｌ状に形成された部分を含むことにより、対物レンズ１７，２７を固定する際に使用される接着剤が、仮にはみ出したとしても、接着剤が保護部材３０に付着する可能性が低減される。その結果、保護部材３０に付着し固化した接着剤によって、光ディスク２の表面が損傷される可能性を低減することができる。
【００３３】
なお、対物レンズ１７，２７の光軸方向における保護部材３０の表面（上面）は、光ディスク２が傾いた状態で回転しても、対物レンズ１７，２７の表面やレンズ鏡筒が光ディスク２の表面２ａに接触しないように設定されていることはいうまでもない。また、本発明は、上記実施形態の記載に限定されるものではなく、発明の趣旨を逸脱しない範囲で様々な変形が可能である。例えば、保護部材３０の形状は、必ずしも平面視矩形である必要はなく、円形やその他の形状であってもよい。
【図面の簡単な説明】
【００３４】
【図１】本発明の一実施形態に係る光ディスク装置の光ピックアップにおける光学系を示す断面図。
【図２】上記実施形態における光ディスク装置の光ピックアップの対物レンズ保護構造を示す斜視図。
【図３】（ａ）は、上記実施形態における対物レンズ保護構造、特に可動ベースの保護部材装着領域に保護部材を装着した状態を示す断面図、（ｂ）は、光ディスクが傾いた状態で回転し、保護部材に接触した状態を示す断面図。
【図４】（ａ）〜（ｄ）は、それぞれ係止突部の配置のバリエーションを示す平面図。
【図５】従来のそれぞれ係止突部２０３の配置のバリエーションを示す断面図。
【符号の説明】
【００３５】
１  光ピックアップ
２  光ディスク
２ａ  光ディスクの表面
２０１  可動ベース
２０２  保護部材装着領域
２０２ａ  保護部材装着領域の下流側端部
２０２ｂ  保護部材装着領域の外周側端部
２０２ｃ  保護部材装着領域の内周側端部
２０２ｄ  保護部材装着領域の上流側端部
２０３  係止突部
３０  保護部材
３０ａ  保護部材の下流側端部
３０ｂ  保護部材の上流側端部
【図１】
0004530073.tif 000002
【図２】
0004530073.tif 000003
【図３】
0004530073.tif 000004
【図４】
0004530073.tif 000005
【図５】
0004530073.tif 000006